(57)【要約】【課題】窓の開口部を覆う収納式スクリーン構造を提供する。【解決手段】収納式スクリーン構造は、内部に巻回されたスクリーンメッシュを有する第１のハウジング部材を有する。第２の長尺のハウジング部材は、第１のハウジング部材の外部に展開するスクリーンメッシュの端部に係合する。第２のハウジング部材は、取り離し可能な係止部材を有し、第１のハウジング部材と平行にある。窓又は窓枠に配置される連携する取り離し可能な係止部材は、取り離せる状態で係止するために、第２のハウジング部材の取り離せる状態の係止部材と連携するように構成される。展開時に巻回されたスクリーンメッシュは実質的に開口部を覆い、そして、スクリーンメッシュ部材の端部が、第１のハウジングの開孔部を介して引き出され、実質的に開口部を覆うために展開され、そして必要に応じてスクリーンメッシュ部材を収容する、第１のハウジングに含まれる収納／展開機構に結合する。【選択図】  図５
2016509145.tif 000002
【特許請求の範囲】
【請求項１】
窓及び戸口のいずれか一つの開口部に広がり、実質的に前記開口部を覆うように構成される収納式スクリーン構造であって、
前記構造は、
１）長手方向の軸を有する第１の長尺のハウジング部材と、
２）前記第１のハウジング部材の外部に突出する端部を有して、前記第１のハウジング部材内部に収容される巻回された拡張可能なスクリーンメッシュ部材と、
３）取り離し可能な位置係止部材を有して、前記第１のハウジング部材と実質的に平行に配置され、前記スクリーンメッシュ部材の広げられた端部に結合されている、第２の長尺のハウジング部材と、
４）前記第２の長尺のハウジング部材の前記取り離し可能な位置係止部材と連携するよう構成され、取り離せる状態で係止し、ドア及びドア枠または窓及び窓枠の一方に配置される、連携する取り離し可能な係止部材と、
を備え、
前記巻回されたスクリーンメッシュ部材は、展開時に、前記開口部に広がり、実質的に前記開口部を覆うのに充分な幅と長さの長尺の巻回されたロールを有し、
前記巻回されたスクリーンメッシュ部材は、前記第１のハウジング内に含まれる収納／展開機構と結合しており、
前記収納／展開機構は、前記スクリーンメッシュ部材の前記端部が、前記第１のハウジングの開孔部を介して展開され、実質的に前記開口部を覆うために伸ばされ、そして必要に応じて前記スクリーンメッシュ部材を収納するよう構成され、
前記開孔部を介して展開される前記スクリーンメッシュ部材の前記端部は、前記第２の長尺のハウジング部材に固定して係合され、
前記第１の長尺のハウジングはドア及びドア枠または窓及び窓枠の他方と一体化され、
前記開口部をスクリーンが覆うように、前記スクリーンメッシュ部材が展開する
ことを特徴とする収納式スクリーン構造。
【請求項２】
シングルハング及びダブルハング式の上げ下げ窓、引窓、ジャルージー窓、ルーバー窓及び開き窓からなる群から選択される窓によって形成される開口部を覆うように構成されることを特徴とする、請求項１に記載の収納式スクリーン構造。
【請求項３】
前記窓はシングルハング及びダブルハング式の上げ下げ窓及び引窓からなる群から選択され、
前記第１の長尺のハウジング部材は、窓サッシ及び窓枠の一方と一体化され、
前記第２の長尺のハウジング部材は、前記開口部を前記収納式スクリーンメッシュが覆うように、前記窓サッシ及び窓枠の他方に、取り外せるよう係止される、
ことを特徴とする請求項２に記載の収納式スクリーン構造。
【請求項４】
前記窓はジャルージー窓、ルーバー窓及び開き窓からなる群から選択され、
前記第１の長尺のハウジング部材は、前記窓枠の一方と一体化され、
前記第２の長尺のハウジング部材は、窓の内側で前記開口部を前記収納式スクリーンメッシュが覆うために、前記窓枠の他方に取り外せる状態で係止される、
ことを特徴とする請求項２に記載の収納式スクリーン構造。
【請求項５】
前記第１の長尺なハウジングが、取り外し可能に窓サッシおよび窓枠の一方に一体化され、
それにより、前記収納式スクリーン構造が、同じ構造の異なる窓の窓サッシおよび窓枠の一方に取り外し可能に一体化され、前記異なる窓の窓サッシおよび窓枠の他方に、連携する係止部材を有する前記第２の長尺なハウジングの係止部材によって、前記同じ構造の異なる窓で利用されるように構成されている、  
ことを特徴とする請求項３に記載の収納式スクリーン構造。
【請求項６】
前記第１の長尺なハウジング部材は、前記窓サッシと固定して一体化され、
前記第２の長尺なハウジング部材は、前記窓枠の連携する係止部材に取り外せる状態で係止されるよう構成される、
ことを特徴とする請求項３に記載の収納式スクリーン構造。
【請求項７】
トラックレール部材は、窓の開閉の移動経路ではない、対向する窓縦枠に取り付けられ、窓開口部の枠を構成し、前記第１及び第２のハウジング部材の末端部は、前記スクリーンメッシュ部材の移動をガイドする前記トラックレールに嵌合され、前記トラックレール内で動くよう構成される、
ことを特徴とする請求項２に記載の収納式スクリーン構造。
【請求項８】
前記トラックレール部材は、前記窓縦枠に取り外し可能に取り付けられ、そして取り外されて、異なる窓に取り外し可能に取り付けられるように構成され、
前記第１の長尺なハウジング部は、取り外し可能に窓サッシと一体化され、前記第２のハウジングに連結されている前記スクリーンメッシュと共に取り外されて、前記異なる窓のサッシに取り付けられ、
前記スクリーンメッシュが、前記異なる窓の開口部を覆うために展開されるとき、前記異なる窓の枠には、前記第２のハウジングと取り外し可能に係止する、連携する係止部材を備える、
ことを特徴とする請求項７に記載の収納式スクリーン構造。
【請求項９】
前記トラックレール部材は、前記異なる窓の寸法に調節可能で、前記第１及び第２のハウジング部材の末端部と係合できる、
ことを特徴とする請求項８に記載の収納式スクリーン構造。
【請求項１０】
前記トラックレール部材は、前記第１及び２のハウジング部材の末端部と係合できるように、前記窓縦枠から離して伸ばされるよう調節可能に構成される、
ことを特徴とする請求項９に記載の収納式スクリーン構造。
【請求項１１】
前記第１および第２のハウジング部材のうち少なくとも１つは、取り外し可能な係止部材から、前記第１および第２のハウジング部材のうち少なくとも１つの係止を解除し、前記スクリーンメッシュが前記第１のハウジング部材に自動又は手動で収納され、開口部の覆いを外す把持部を有することを特徴とする請求項１に記載の収納式スクリーン構造。
【請求項１２】
前記第１及び第２のハウジング部材の取り離し可能な留め具は、磁気部材、フック及び係合クリップ部材の少なくとも一つにより構成される、
ことを特徴とする請求項１に記載の収納式スクリーン構造。
【請求項１３】
前記第２の長尺なハウジング部材は、取り離し可能な磁気係止を備えた、連携する係止部材によって取り外し可能に係止され、
前記第２の長尺なハウジング部材上の磁気係止部材は、バネ付勢され、
それによって突出部が、力を加えることなく自動的に接触して係止することを防止する、
ことを特徴とする請求項６に記載の収納式スクリーン構造。
【請求項１４】
前記スクリーンメッシュ部材の側縁部には、ドア又は窓が開けられるときに、前記スクリーンメッシュ部材の側縁部と窓又は窓枠の間の、隙間を覆うように構成されるブラシ部材を備える、
ことを特徴とする請求項１に記載の収納式スクリーン構造。
【発明の詳細な説明】
【技術分野】
【０００１】
本発明は収納式のスクリーンに関し、特に、所定の窓にフィット（適合）し、配置および取り外しできる収納式のスクリーン及び、既存の窓のハードウェア類や部品と一体化し、素早く配置されるスクリーンに関する。
【背景技術】
【０００２】
窓及びドアのスクリーンにはいくつかの形状がある。
第１の形状であり一般的なものは、窓やドア（例えばパティオドア）を開くときに、開口部に引き出されるようにトラックレールに配置されるスクリーンである第２の型を有し、窓やドア上に固定されるか、または近接して設置される固定されたスクリーンである。
【発明の概要】
【発明が解決しようとする課題】
【０００３】
近年は、窓、ドアとは別に、特注のハウジングに作り込まれて、窓やドアの開口部全体に引き出され、使用しない時は収納されるような、収納式スクリーンが、利用されている。
しかしながら、収納式スクリーンは、位置が固定され、特定のドア及び窓用にオーダーメイドで作られ、大がかりでコストがかかり、作動上別の基礎構造を有する。これらのものは、異なるドアや窓に使用しようと思っても、使用することはできない。
【課題を解決するための手段】
【０００４】
本発明の目的は、例えば窓又はドアの開口部で使用するのに適しており、異なる窓又はドアに使用する際も、邪魔にならず取り外しが可能な、第１実施例の安価な収納式スクリーンの構造を提供することにある。
【０００５】
本発明の更なる目的は、取り外し可能な収納式スクリーンの構造が、更にサイズ調節可能な部材を備え、それぞれサイズ及び構成の異なる窓及びドアにも適切に使用できるようにすることにある。
【０００６】
また、本発明の別の目的は、第２実施例の収納式スクリーンの構造を提供することにあり、収納式スクリーンの部材は、自動的にスクリーンを、必要なときに、引き下げ、止めるため、ドア又は窓の開口部と一体型の操作部材として、窓又はドア構造内部に直接入れ込まれるものである。
【０００７】
概して、本発明は、  第１の水平な溝を有した長尺なハウジング部材内に巻き上げられ、収納され、その中で（例えば、窓のシェードバー内にある）収納用スプリング部材により保持される、収納式スクリーンを備える。
本発明に適するスクリーンは、繰り返しの巻き上げ動作や、風又は雨といった外部の条件に耐性のある、構造的に健全なものである。
スクリーンは、強化されたプラスチックメッシュ又は腐食しない金属メッシュから好ましくは成る。
【０００８】
バネ構造体によって、収納式スクリーン部材は、水平な溝から、所望の長さだけ、外に展開し、そして滑らかに収納される。
収納式スクリーン部材の末端は、保持部材で固定保持されるか、又は第２のハウジング部材内で固定保持され、収納される。（以下、「第２のハウジング部材」という用語は、単なる「保持部材」も含む）
【０００９】
収納式スクリーンの構造は、更に、収納式スクリーンを完全に展開して開口部全体に広げるとき、第２のハウジング部材を係合する係止部材を備える。
係止部材として、例えば引き戻し力に対し、ピンと張った状態で、展開されたスクリーンの部材を保持するために、第２のハウジング部材と着脱自在に係止可能な、例えば、磁気部材、フックと止め穴部材や、一般に商標ベルクロ（便宜のために以下使用：面ファスナー）と呼ばれる、第２のハウジング部材と連携する部材を備える。
ハンドル部（把持部）は、必要に応じて利用者が手動で係合を解除し、スクリーンを収納できるようにする第２のハウジング部材に設けられている。
【００１０】
収納式スクリーン構造は、窓及び戸口のいずれにおいても、開口部に広がり、その開口部をしっかりと覆うように構成され、
１）長手方向の軸を有する第１の長尺なハウジング部材と、
２）前記第１のハウジング部材から外部に突出した端部を有し、前記第１のハウジング部材内部に収容された、展開可能な巻回されたスクリーンメッシュ部材と、
３）前記第１のハウジング部材と実質的に平行に配置され、前記スクリーンメッシュ部材の前記突出した端部に結合された、取り離し可能な位置係止部材を有する第２の長尺なハウジング部材と、
４）  前記第２の長尺なハウジング部材の前記取り離し可能な位置係止部材と連携して、取り離し可能な係止として機能する、ドア及びドア枠または窓及び窓枠の１つに配置された連携する取り離し可能な係止部材と
を備える。
【００１１】
前記巻回されたスクリーンメッシュ部材は、展開された際に、開口部に亘って、実質的に覆うために十分な幅と長さを有する長尺な巻回されたロールを備え、前記巻回されたスクリーンメッシュ部材は、前記第１のハウジング内の収納／展開機構部に接続されている。
前記収納／展開機構部は、前記スクリーンメッシュ部材の端部が、前記第１のハウジングの開孔部を介して引き出され、開口部を実質的に覆うために伸ばされ、そして必要に応じてスクリーンメッシュ部材を収納するよう構成される。
【００１２】
前記開孔部を介して展開される前記スクリーンメッシュ部材の端部は、前記第２の長尺なハウジング部材に固定して係合され、前記第１の長尺なハウジング部材は、ドア及びドア枠または窓及び窓枠の他方と一体化される。前記スクリーンメッシュ部材が前記開口部を覆うように、展開することによって開口部をスクリーンが覆う。
【００１３】
前記第１及び第２のハウジング部材は、それぞれ、それらの部材の内１つは、窓又はドアが開けられた際に形成される開口部に隣接し、サッシ又はドアの部分に固定されるように構成される。
例えば代表的な上げ下げ窓の場合、ハウジング部材の１つは、それぞれの窓を開けるために上側サッシが下げられるか、下側サッシが引き上げられるかによって、上側サッシの上部又は下側サッシの下部に固定される。
もし前記収納式スクリーンの部材を異なる窓又はドアに使用しようとするなら、スクリーン部材を一つの窓又はドアから取り外して、必要に応じて他の窓又はドアに固定できるよう、留め具は取り離し可能である。
【００１４】
好ましい実施例において、前記第１のハウジング部材は、サッシと（取り外し可能に又は固定されて）一体化される。そして第２のハウジング部材は移動可能であり、それぞれの窓の敷居又は窓の上枠（または横開き窓の側部）上に、または、それに隣接して配置され、スクリーンを展開するために、磁気部材、フックと留め具などの取り離し可能な部材で係止され位置が固定されるよう構成される。
連携する係止部材は、窓敷居又は窓枠上か、内か、又はそれに隣接して配置される。ドアに関しては、前記第１および第２のハウジングは、引き戸のドア及びフレームと、そして、開き戸の、向かい側のドアフレームと一体化される。
【００１５】
好ましくは、異なる窓又はドア向けに構成される移設可能な収納式スクリーンの部材は、それぞれ窓およびドアに利用可能な、いくぶん幅が変化する（最高約２―３インチ）部材を更に含む。この種の部材は横方向のブラシ部材及び／又は拡張可能な横方向トラックレールを含み、それは展開されたスクリーンと窓枠又はドアの側柱間のいかなる隙間も塞ぐ。
【００１６】
収納式スクリーン構造の第２実施例において、ハウジング部材は、実際の窓サッシ及び／又はフレーム部材、又はドア及び／又は側柱である。
そのスクリーン構造は、特に特定の用途のために構成されており、他の窓又はドアに移設することはできない。
従って、一体化された取り外しのできない収納式スクリーンは、通常、移設可能な実施例とは異なり、使用者というより製造業者によって窓又はドアに組み込まれる。
【００１７】
本実施例において、窓製造業者は更にトラックレールを窓枠側部に取付けて、窓のタイプに応じて収納式スクリーンをサッシの下、上又は側部に組み込んでも良い。
収納式スクリーンは、必要に応じて手動でスクリーンを開けるために設けられているハンドル（把持部）で、引き降ろされ、位置を固定できるように、係止機構が、窓の敷居に組み込まれている。窓側部の作り付けのトラックレールは窓の構造及びスクリーン部材の耐久性を向上させるので、好ましい選択肢である。
【００１８】
窓サッシというより窓の敷居に組み込まれるスクリーン機構を有する代替構造も、同様に使用可能である。
磁気システムといった係止システムにより、窓サッシに固定され、窓サッシの動きとともに自動的に回転する、一体化スクリーンの機能を有する窓を提供できる。必要に応じて、使用者は、窓サッシからスクリーンを外すことにより、手動でスクリーンを開けることも可能である。
【発明の効果】
【００１９】
本発明の他の目的、特徴及び利点は、以下の説明及び図面より更に明らかになる。
【図面の簡単な説明】
【００２０】
【図１】収納式スクリーン部材の第１実施例における、ハウジング部材を有する収納式スクリーン部材の上面斜視図。
【図２】図１の収納式スクリーン部材の下面斜視図。
【図３】窓サッシの底部に取り付けられた収納式スクリーン部材を有する典型的な上げ下げ窓が、ある程度下げられている状態の、上からの斜視図。
【図４】窓サッシ底部の内部に取り付けられた収納式スクリーンのハウジング部材と、スクリーンの展開及び収納のためのトラックレールを有する窓の内側からの斜視図。
【図５】窓サッシに取付けられ、窓の縦枠のトラックレールを介して移動をガイドするよう構成された側端部によって引き下げられている、図１の収納式のスクリーンの上部ハウジング部材の内部を示す部分的な切欠図。
【図６Ａ】窓スクリーンの端部に保持用磁石を有し、引窓で横方向に設置された収納式スクリーン部材（取り外し可能及び取り外しができない窓一体型の構造両方に適用可能な）を表す。
【図６Ｂ】窓枠上に保持用磁石を有する、図６Ａの引窓を表す。
【図７】開き窓のための窓枠に作り付けの収納式スクリーン部材を表す。
【図８】巻回されたスクリーン及び収納／展開機構のハウジングを含む、窓サッシ自体の第２実施例を表す。
【図９】取り外しのできない収納式スクリーンの第２実施例の用途における、図５の部分的な切欠図と同様の図。
【図１０Ａ】取り外し可能な第１実施例の異なる幅の窓で収納式スクリーンを使用できるようにする、横方向トラックレール幅の調節機構を示す。
【図１０Ｂ】トラックレールの収納又は展開の制御と窓縦枠のベルクロのアタッチメント（付属部品）とを有する図１０Ａの調節可能なトラックレールを表す。
【図１１Ａ】図１１Ａは、内側にレールの延長を備えたトラックレールを示す。
【図１１Ｂ】図１１Ｂは、相互に嵌合する凹部を有する収納式ハウジングを示す。
【図１１Ｃ】図１１Ｃは、トラックレールと収納式ハウジング間の係合部の動きを示す。
【図１２】図１２は、取り外し可能で拡張可能なトラックレールの第２実施例。
【図１３Ａ】図１３Ａは、トラックレールがない場合の、横の空間を塞ぐためのブラシを表す。
【図１３Ｂ】図１３Ｂは、トラックレールに組み込まれた場合の、横の空間を塞ぐためのブラシを表す。
【図１４】図１４は、周囲にトラックレールがない状態で窓サッシの底部に固定されるような取り外し可能なスクリーン構造を示す、窓の下方斜視図。
【図１５Ａ】図１５Ａは、スクリーン構造が窓敷居と自動的に係合するのを防止するのに役立つ、取り外しができない収納式スクリーンの実施例の窓に設置された係合留め具機構を示す。
【図１５Ｂ】図１５Ｂは、スクリーン構造が窓敷居と自動的に係合するのを防止するのに役立つ、取り外しができない収納式スクリーンの実施例の窓に設置された係合留め具機構を示す。
【発明を実施するための形態】
【００２１】
操作時には、例えば窓に適用した場合について言及すると、収納式スクリーンのハウジングは、フックと留め具、商標ベルクロとして知られているもの、磁石またはクリップを窓の敷居とサッシ（窓枠）にそれぞれ設置することにより、簡単な操作で窓に取り付けできる。
【００２２】
取り外し可能なスクリーン部材の好ましい実施例において、窓枠の両側に、横方向（ハウジングに対して）に、取り外し可能で拡張可能なトラックレールが更に取付けられる。耐久性を向上させるためだけでなく、そのトラックレールのおかげで、「フリーサイズ」（数インチの差の範囲内で）の、取り外し可能なスクリーンとなりえる。
【００２３】
しかしながら、好ましくは、各窓は、窓の敷居及び窓サッシに、それぞれ配置される別々のフックと留め具又は他の取付け部材を有する。
【００２４】
横方向のトラックレールの有無にかかわらず、一旦スクリーンのハウジングが窓に取り付けられると、使用者は通常の方法で窓を開閉することができ、収納式スクリーンは自動的に窓サッシの動きに追随する。
全ての収納式スクリーン部材は、使用しないとき、及び／又は、必要があれば他の窓へ移す際に、容易に取り外すこともできる。
【００２５】
ハウジング部材の１つが、窓サッシの底部又は上端部ではなく、（底部又は上部の）窓サッシの後ろに配置される場合は、窓を閉じて、ロックすることが可能である。
スクリーンは、窓の動きとともに上下に（ジャルージ又はルーバー窓は横方向に）移動するものであり、スクリーンは窓サッシに直接取り付けられているので、常に適切に開口する部分を覆うよう、スクリーンが開かれることになる。
従って、スクリーンの位置決めの際、窓自体の開閉に伴う動作とは別の動作を必要としない。
【００２６】
一旦スクリーンが窓に取り付けられると、使用者は通常通りに窓を開閉することができ、スクリーンは自動的に窓サッシと同じ動きをする。
上述のとおり、窓の内側で、窓枠と一体化した収納式スクリーン部材のハウジングを有するので、スクリーンはいかなるダブル又はシングルハング式の上げ下げ、又は引き窓およびドアならびにクランク制御の開き窓（及び開き戸）にも用いられることができる。
【００２７】
必要に応じて異なる窓で利用することができる、好適な取り外し可能な実施例において、収納式スクリーン部材は、好ましくは剛性のある、腐食も歪みもしないプラスチック材の下部及び上部のハウジング部材を備える。
下部又は上部のハウジング部材のいずれか一方は、そこにメッシュスクリーン機構を備え、他方のハウジング部材は、そこに一体化される磁石又は磁気部材といった位置係止機構を備える。
【００２８】
スクリーンが収納されるときには、それぞれのハウジングが直接に並置するので、メッシュスクリーン自体は、収納部の小さなスリットを介して、位置係止収納部材に接する。
好ましい実施例において、メッシュスクリーン機構用ハウジング側は、実際の窓サッシの底部の内側又は背面にベルクロ等で取り外し可能に取り付けられる（一般に、直接、窓のハンドルとは反対側に）。
【００２９】
位置係止メカニズムと取り離せる状態で連携する、取り離し可能な取り付けメカニズムは、ベルクロ等で窓の敷居に取り離せる状態で取り付けられる。係止メカニズムの変形例では、ハウジングは同様に可逆的（リバーシブル）に配置されることもできる。
【００３０】
収納式スクリーン機構は、好ましくは、大部分は金属バネを有するプラスチックから成る。その機構のメインとなる基本部分は、そこで巻回されるメッシュスクリーンを有するプラスチックの円筒から成る。１本の圧縮ばねがプラスチックの円筒の中を通るか、２つの定荷重ばね、（一般の巻上カーテンと類似した展開及び収納操作をするための円筒の両側にあるもの）であっても良い。
【００３１】
好ましくは、メッシュスクリーンの両方の露出した端に隙間を閉じる柔軟性のある部材がある。例えば、メッシュスクリーンの両サイドに、その全長に亘って、細く丸いゴム部材を有する。
羽のようなブラシ部材が、スクリーンの両側にあるゴム部材に取り付けられる。ブラシ部材があるので、スクリーンの端部から窓又はトラックレールまでの隙間が閉じられ、住宅の内部に不必要なものが入らなくなる。
【００３２】
容易に配置及び／又は取り外しできるように、好ましくはそれぞれのハウジングには、小さなハンドル（把持部）または凹部があり、握り部（フィンガーグリップ）及びハンドル収納用凹部構造を提供する。
【００３３】
追加される好ましい部品は、収納又は展開しているスクリーンの適切な位置決めを可能にし、歪んだ動きにより起こる過剰な摩耗を防止するためのガイドトラックレールである。そのトラックレールにより、耐久性が更に増し、厚みを拡張も収納もできるため、多少幅の異なる様々な窓においても、１つサイズの収納式スクリーン部材で「フリーサイズ」の取り付けが実現される。
【００３４】
この点に関して、トラックレールは、取付けられる窓のサイズに合わせられるように、収納部の幅に応じて調節可能である。実施例では、トラックレール上の小さなボタンを押して、トラックレールを拡張／縮小できる。
【００３５】
トラックレールは、好ましくは硬い腐食しないプラスチックから成り、窓の縦枠にベルクロのような留め金具で取り外しできるよう取り付けられ、それぞれのハウジング部材の２つの端部と係合するように、対をなして互いに平行に配置される。
【００３６】
トラックレールに係合させ利用するために、それぞれのハウジングは、上下の各ハウジングの四側面の中央から突出する小さなプラスチックの突起部を備えている。トラックレールを、ハウジング部材と係合させるために所定の窓に合ったサイズに設定した後、上下に移動させるため（開き窓又は引窓の場合は横向き）、突起部をそれぞれ相互に嵌合するトラックレールにはめ込むだけでよい。
【００３７】
動きをより円滑にし耐久性を向上させるために、無駄な動きを最小限に抑えるべく、ハウジングの両側にある小さな凹部は、（端から約半インチのところにあり）それぞれのトラックレールにある相互に合致する凹部と連携する。
【００３８】
例えばアンダーソンウインドウズ（Ａｎｄｅｒｓｏｎ  ｗｉｎｄｏｗｓ）にあるような傾斜する窓敷居にも対応するために、適切なサイズのシムが、傾斜した窓敷居に接して、それぞれのハウジング部材の概ね平らな表面を直角にするために、利用される。
【００３９】
ベルクロ及び磁気の取付けについての記載したが、プラスチッククリップ／クランプのような、他の代替となる取り外し可能な付属品も同じように利用することが可能である。
【００４０】
窓サッシの寸法がハウジング部材とちょうど一致する場合、収納式スクリーンのためのトラックレールを直ちに用いるのではなく、使用者はスクリーンメカニズムのハウジング部をサッシの底部に直接取り付けるという選択肢がある。
【００４１】
しかしながら、この種の配置の実施例では十分な耐久性はなく、ハウジングに厚みがあるので、窓を閉じて係止するためには、通常はハウジング部の取り外しを必要とする点に留意する必要がある。
【００４２】
本発明の第２実施例において、窓サッシ（又は窓枠）自体が、収納式スクリーン機構用のハウジングを備え、収納式スクリーン機構が窓サッシ及び／又はフレームと取り外しができない一体型となる。したがって、この種の実施例においては、特定の窓の用途のために窓製造業者によって提供され、取り外しができない。
【００４３】
この種の実施例において、スクリーンの機構は正面の窓サッシの底部に配置される。あるいは、窓製造業者が（ダブルハング式上げ下げ窓を）選択する場合、スクリーンは両方の窓サッシに配置されることも可能である。窓スクリーンは、窓の両側のトラックレールに沿って、手動又は自動で下げることが可能である。そして、窓敷居上に固定される。スクリーンは引き下げられて、様々な係止の機構によって基部に固定される。
【００４４】
（第１の実施形態）
特に図面を参照し、図１は、スクリーン収納機構が収納されるメインの又は第１のハウジング１１を有する収納式スクリーン部材１０を表す。より小さい第２のハウジング１２は、図２に示すように、スクリーン１３の端を保持し、係止部材１２ｂを有する。係止部材１２ｂは一般に知られるもので、ベルクロ、磁気部材又は他の係止機構でもよい。
【００４５】
図３及び４に示すように、ハウジング１１にベルクロ又は磁気部材１１ｂなどにより、メインのハウジングが窓２０の窓サッシ２２の底部に保持される。
図４は、窓枠２１に固定されたトラックレール３０ａ及び３０ｂ内にて、嵌め込まれ上下に動くようガイドされる、展開されたスクリーン１３の周辺部を示す。
【００４６】
図５及び９は、円筒４１及び、第１及び第２実施例両方に用いられるハウジング１１に収容された引張バネ４２を有する、スクリーン収納機構４０を表す。
図５及び９は、第１のハウジングの相対的な配置が異なり、図５の第１のハウジングは窓サッシの後ろに配置されるため、窓敷居２３及びトラックレール３０ｂに対してずらされて配置されている。
【００４７】
スクリーン１３は、ハウジング（明確にするため図５及び９には表示なし）内で巻かれて、図４に示すようにピンと張られそして収納されるよう、バネ４２で張力をかけられる。
ハウジング１２の端部には、移動をガイドするため、（図１１Ｃに示す）トラックレール３０ａの溝付きトラックレールに嵌め合うよう構成された端部２１２が示されている。
【００４８】
取り外しができない実施例において、図９に示されるボタン２１２ａは、更に移動をガイドするため、図１０Ａに示される溝３４の内でのスライド動作に適している。
【００４９】
図６Ａ及び６Ｂは、磁気係止部材１１２ａ及び１１２ｂが交互に配置された引窓１２０に、横方向に位置するハウジング１１１及び１１２並びにスクリーン１１３を有する収納式スクリーン部材１００の配置を示す。
【００５０】
図７は、開き窓２００のフレーム２２１と一体化され、ハウジング部材２１２及び２１１で縁を保持され、磁石２１２ｂで係止される収納式のスクリーン２１３を示す。
【００５１】
図８は、第２の取り外しのできない実施例を下から見た図であり、切欠図に示されたように、第１実施例の第１のハウジングとして機能する窓サッシの底部から展開しているスクリーン１３を有する。トラックレール部材３０ａ’及び３０ｂ’は、スクリーン１３及びハウジング１２の収納／展開のために、取り外せない状態で固定される。
【００５２】
図１０Ａは、ハウジング１１及び１２の長さに隙間なく合うよう、内部で横方向に動かすことができる、移動可能なトラックレール部材３０ｃを備えたトラックレール３０ａを示す。リリースボタン３２によって、合わせ込みのために横方向に動かし、調整する。ベルクロパッド３３が、使用中及び調整の間も、適切な位置でトラックレールを保持する。図１０Ｂは、トラックレール３０ａ及び３０ｃが互いに隙間なく合わさり、最大幅での調整を示す。
【００５３】
図１１Ａ―１１Ｃは、ハウジング部材２１１および２１２の凹部に嵌合するように構成される内側の突出部３５ａ及び３５ｂを有するトラックレールの変形例を表す。
【００５４】
図１２は、トラックレールのベース３０２の互いに合わさる内部に、移動調節できる、頑丈な拡張部３０１を有する、調整機能のある取り外し可能なトラックレール３００ｂの異なる実施例を表す。
【００５５】
図１３Ａ及び１３Ｂは、窓サイズの違い及び窓縦枠とスクリーンの間隔から生じるいかなる隙間を埋める、スクリーン１３の側面のベース部材５１にある羽状のブラシ５０の使用を示し、図１３Ａはトラックレールのない場合、図１３Ｂはトラックレールがある場合を示す。
【００５６】
図１４は、窓サッシ２２の底部２２Ａと長さが等しい収納式スクリーン部材１０を示す。トラックレールは使用されておらず、ハウジング１１は、窓サッシの底部２２ａに直接取り付けられている。
【００５７】
（第２の実施形態）
図１５Ａは、取り外しできない収納式スクリーンの実施例を示し、スクリーン１３を制御して収納できるように、ハウジング１２を保持し、また窓敷居から容易に取り外すための、円筒１２”でバネ付勢された磁石１２´を、ハウジング１２の下部周辺端部に有するものである。
図１５Ｂは、ハウジング１２のバネ付勢された磁石と、磁石を容易に離すためのポップアップ（突出）・プラスチック部材１５との相互作用をより明らかに示す。
【００５８】
前記記述及び図面は単なる説明であり、以下の請求項に記載の本発明の要旨を逸脱しない範囲で、収納式スクリーンの構造及び、その特定の利用の構造及び構成要素は、変更がなされることができるものと理解される。
【図１】
2016509145.tif 000003
【図２】
2016509145.tif 000004
【図３】
2016509145.tif 000005
【図４】
2016509145.tif 000006
【図５】
2016509145.tif 000007
【図６Ａ】
2016509145.tif 000008
【図６Ｂ】
2016509145.tif 000009
【図７】
2016509145.tif 000010
【図８】
2016509145.tif 000011
【図９】
2016509145.tif 000012
【図１０Ａ】
2016509145.tif 000013
【図１０Ｂ】
2016509145.tif 000014
【図１１Ａ】
2016509145.tif 000015
【図１１Ｂ】
2016509145.tif 000016
【図１１Ｃ】
2016509145.tif 000017
【図１２】
2016509145.tif 000018
【図１３Ａ】
2016509145.tif 000019
【図１３Ｂ】
2016509145.tif 000020
【図１４】
2016509145.tif 000021
【図１５Ａ】
2016509145.tif 000022
【図１５Ｂ】
2016509145.tif 000023
【手続補正書】
【提出日】平成28年1月28日(2016.1.28)
【手続補正１】
【補正対象書類名】特許請求の範囲
【補正対象項目名】全文
【補正方法】変更
【補正の内容】
【特許請求の範囲】
【請求項１】
窓及びドアのいずれか一つの開口部に広がり、実質的に前記開口部を覆うように構成される収納式スクリーン構造であって、
長手方向の軸を有する第１の長尺のハウジング部材と、
前記第１の長尺のハウジング部材の外部に突出する端部を有して、前記第１のハウジング部材内部に巻回され収容される拡張可能なスクリーンメッシュ部材と、
取り離し可能な第１の係止部材を有して、前記第１のハウジング部材と実質的に平行に配置されるとともに前記スクリーンメッシュ部材が展開された際に前記端部に結合される第２の長尺のハウジング部材と、
ドア及びドア枠または窓及び窓枠の一方に配置されるとともに、前記第１の係止部材と連携して取り離せる状態で係止される第２の係止部材と、
を備え、
前記巻回されたスクリーンメッシュ部材は、展開時に、前記開口部に広がり、実質的に前記開口部を覆うのに充分な幅と長さの長尺の巻取り部を有し、かつ、前記第１のハウジング内に含まれるとともにバネを装備した収納及び展開機構と結合されており、
前記収納及び展開機構は、前記スクリーンメッシュ部材の前記端部が、前記第１のハウジングから展開され、実質的に前記開口部を覆うために伸ばされ、そして必要に応じて前記バネの作用によって前記スクリーンメッシュ部材を滑らかに収納するよう構成され、
前記展開される前記スクリーンメッシュ部材の前記端部は、前記第２の長尺のハウジング部材に固定して係合され、
前記第１の長尺のハウジングはドア及びドア枠または窓及び窓枠の他方と一体化される
ことを特徴とする収納式スクリーン構造。
【請求項２】
シングルハング及びダブルハング式の上げ下げ窓、引窓、ジャルージー窓、ルーバー窓及び開き窓からなる群から選択される窓によって形成される開口部を覆うように構成されることを特徴とする、請求項１に記載の収納式スクリーン構造。
【請求項３】
前記窓はシングルハング及びダブルハング式の上げ下げ窓及び引窓からなる群から選択され、
前記第１の長尺のハウジング部材は、窓サッシ及び窓枠の一方と一体化され、
前記第２の長尺のハウジング部材は、前記開口部を前記収納式スクリーンメッシュが覆うように、前記窓サッシ及び窓枠の他方に、取り外せるよう係止される、
ことを特徴とする請求項２に記載の収納式スクリーン構造。
【請求項４】
前記窓はジャルージー窓、ルーバー窓及び開き窓からなる群から選択され、
前記第１の長尺のハウジング部材は、前記窓枠の一方と一体化され、
前記第２の長尺のハウジング部材は、前記収納式スクリーンメッシュが前記窓の内側で前記開口部を覆うように、前記窓枠の他方に取り外せる状態で係止される、
ことを特徴とする請求項２に記載の収納式スクリーン構造。
【請求項５】
前記第１の長尺なハウジングが、取り外し可能に窓サッシおよび窓枠の一方に一体化されるとともに、前記第２の長尺なハウジングが、前記窓と同じ構造の異なる窓の窓サッシおよび窓枠の一方に取り外し可能に一体化され、
前記第１の係止部材と前記第２の係止部材を係止させることによって、前記格納式スクリーン構造を前記窓と同じ構造の異なる窓で利用されるよう構成した
ことを特徴とする請求項３に記載の収納式スクリーン構造。
【請求項６】
前記第１の長尺なハウジング部材は、前記窓サッシと固定して一体化され、
前記第２の長尺なハウジング部材は、前記第１の係止部材によって前記窓枠の連携する第２の係止部材に取り外せる状態で係止されるよう構成される、
ことを特徴とする請求項３に記載の収納式スクリーン構造。
【請求項７】
トラックレール部材は、窓の開閉の移動経路ではない、対向する窓縦枠に取り付けられ、窓開口部の枠を構成し、前記第１及び第２のハウジング部材の末端部は、前記スクリーンメッシュ部材の移動をガイドする前記トラックレールに嵌合され、前記トラックレール内で動くよう構成される、
ことを特徴とする請求項２に記載の収納式スクリーン構造。
【請求項８】
前記トラックレール部材は、前記窓縦枠に取り外し可能に取り付けられ、そして取り外されて、異なる窓に取り外し可能に取り付けられるように構成され、
前記第１の長尺なハウジング部は、取り外し可能に窓サッシと一体化され、前記第２のハウジングに連結されている前記スクリーンメッシュと共に取り外されて、前記異なる窓のサッシに取り付けられ、
前記スクリーンメッシュが、前記異なる窓の開口部を覆うために展開されるとき、前記異なる窓の枠には、前記第２のハウジングと取り外し可能に係止する、連携する前記第２の係止部材を備える、
ことを特徴とする請求項７に記載の収納式スクリーン構造。
【請求項９】
前記トラックレール部材は、前記異なる窓の寸法に調節可能で、前記第１及び第２のハウジング部材の末端部と係合できる、
ことを特徴とする請求項８に記載の収納式スクリーン構造。
【請求項１０】
前記トラックレール部材は、前記第１及び２のハウジング部材の末端部と係合できるように、前記窓縦枠から離して伸ばされるよう調節可能に構成される、
ことを特徴とする請求項９に記載の収納式スクリーン構造。
【請求項１１】
前記第１および第２のハウジング部材のうち少なくとも１つは、取り外し可能な係止部材から、前記第１および第２のハウジング部材のうち少なくとも１つの係止を解除し、前記スクリーンメッシュが前記第１のハウジング部材に自動又は手動で収納され、開口部の覆いを外す把持部を有することを特徴とする請求項１に記載の収納式スクリーン構造。
【請求項１２】
前記第１及び第２のハウジング部材の取り離し可能な留め具は、磁気部材、フック及び係合クリップ部材の少なくとも一つにより構成される、
ことを特徴とする請求項１に記載の収納式スクリーン構造。
【請求項１３】
前記第２の長尺なハウジング部材は、取り離し可能な磁気係止を備えた、連携する前記第２の係止部材によって取り外し可能に係止され、
前記第２の長尺なハウジング部材上の第１の係止部材は、磁気係止を備えるとともにバネ付勢され、
それによって突出部が、力を加えることなく自動的に接触して係止することを防止する、
ことを特徴とする請求項６に記載の収納式スクリーン構造。
【請求項１４】
前記スクリーンメッシュ部材の側縁部には、ドア又は窓が開けられるときに、前記スクリーンメッシュ部材の側縁部と窓又は窓枠の間の、隙間を覆うように構成されるブラシ部材を備える、
ことを特徴とする請求項１に記載の収納式スクリーン構造。
【手続補正２】
【補正対象書類名】明細書
【補正対象項目名】００１０
【補正方法】変更
【補正の内容】
【００１０】
収納式スクリーン構造は、窓及びドアのいずれにおいても、開口部に広がり、その開口部をしっかりと覆うように構成され、
長手方向の軸を有する第１の長尺のハウジング部材と、
前記第１の長尺のハウジング部材の外部に突出する端部を有して、前記第１のハウジング部材内部に巻回され収容される拡張可能なスクリーンメッシュ部材と、
取り離し可能な第１の係止部材を有して、前記第１のハウジング部材と実質的に平行に配置されるとともに前記スクリーンメッシュ部材が展開された際に前記端部に結合される第２の長尺のハウジング部材と、
ドア及びドア枠または窓及び窓枠の一方に配置されるとともに、前記第１の係止部材と連携して取り離せる状態で係止される第２の係止部材と、
を備える。
なお、本明細書における「ドア」とは、戸口を含むものとする。
【手続補正３】
【補正対象書類名】明細書
【補正対象項目名】００１１
【補正方法】変更
【補正の内容】
【００１１】
前記巻回されたスクリーンメッシュ部材は、展開された際に、開口部に亘って、実質的に覆うために十分な幅と長さを有する長尺の巻取り部を備え、前記巻回されたスクリーンメッシュ部材は、前記第１のハウジング内の収納及び展開機構部に接続されている。
前記収納及び展開機構部は、前記スクリーンメッシュ部材の端部が、前記第１のハウジングから引き出され、開口部を実質的に覆うために伸ばされ、そして必要に応じてスクリーンメッシュ部材を収納するよう構成される。
【手続補正４】
【補正対象書類名】明細書
【補正対象項目名】００１２
【補正方法】変更
【補正の内容】
【００１２】
前記第１のハウジングから展開される前記スクリーンメッシュ部材の端部は、前記第２の長尺なハウジング部材に固定して係合され、前記第１の長尺なハウジング部材は、ドア及びドア枠または窓及び窓枠の他方と一体化される。前記スクリーンメッシュ部材が前記開口部を覆うように、展開することによって開口部をスクリーンが覆う。
【国際調査報告】
2016509145.tif 000024